(57)【特許請求の範囲】
【請求項１】
計時器用ムーブメント用の制御機構（１００）であって、
当該制御機構（１００）に設けられた主板（１）のハウジング内に、長手方向（Ｄ）に運動可能である制御ステム（１０）を有し、
前記制御ステム（１０）は、引き出し片（２）に設けられたスタッド（２０）と連係する溝（１１）を有し、前記主板（１）上での前記引き出し片（２）の回転を作動させ、
前記引き出し片（２）は、ジャンパーばね（３）によって所定位置に保持され、
当該制御機構（１００）は、前記主板（１）と連係して前記制御ステム（１０）を拘束するブリッジ（５）を有し、
前記制御機構（１００）は、リミッターピストン（６）を有する移動リミッターを介して、前記引き出し片（２）の前記スタッド（２０）の移動を制限する手段を有し、
前記ブリッジ（５）には、ハウジング（５４）が設けられ、この中で前記リミッターピストン（６）が運動を制限されており、
前記リミッターピストンは、前記長手方向（Ｄ）と実質的に直交する横断方向（Ｔ）の力の付与の下で、前記引き出し片（２）に設けられたトラニオン（２９）の一端に当接するように構成し、これによって、前記リミッターピストン（６）の所与の移動の後に前記制御ステム（１０）の解放を可能にし、
前記ブリッジ（５）の前記ハウジング（５４）は、肩部（５３）を有し、そして、前記リミッターピストン（６）は少なくとも１つの弾性領域（６３）を有し、前記弾性領域は、前記肩部（５３）と前記主板（１）の間を移動するように構成される
ことを特徴とする制御機構。
【請求項２】
計時器用ムーブメント用の制御機構（１００）であって、
当該制御機構（１００）に設けられた主板（１）のハウジング内に、長手方向（Ｄ）に運動可能である制御ステム（１０）を有し、
前記制御ステム（１０）は、引き出し片（２）に設けられたスタッド（２０）と連係する溝（１１）を有し、前記主板（１）上での前記引き出し片（２）の回転を作動させ、
前記引き出し片（２）は、ジャンパーばね（３）によって所定位置に保持され、
当該制御機構（１００）は、前記主板（１）と連係して前記制御ステム（１０）を拘束するブリッジ（５）を有し、
前記制御機構（１００）は、リミッターピストン（６）を有する移動リミッターを介して、前記引き出し片（２）の前記スタッド（２０）の移動を制限する手段を有し、
前記ブリッジ（５）には、ハウジング（５４）が設けられ、この中で前記リミッターピストン（６）が運動を制限されており、
前記リミッターピストンは、前記長手方向（Ｄ）と実質的に直交する横断方向（Ｔ）の力の付与の下で、前記引き出し片（２）に設けられたトラニオン（２９）の一端に当接するように構成し、これによって、前記リミッターピストン（６）の所与の移動の後に前記制御ステム（１０）の解放を可能にし、
前記ブリッジ（５）の前記ハウジング（５４）は、前記横断方向（Ｔ）の高さの少なくとも一部において、前記リミッターピストン（６）において雄ねじ（６２）と螺合するように構成する雌ねじ（５２）を有し、
前記リミッターピストンは、前記ブリッジ（５）に対するその前記移動（Ｃ）を制限する頭部（６１）を有する
ことを特徴とする制御機構。
【請求項３】
前記雄ねじ（６２）及び前記雌ねじ（５２）は、前記トラニオン（２９）から離れた前記リミッターピストン（６）の初期移動に制限されるように設けられ、
前記初期移動の制限領域外では、前記リミッターピストン（６）は回転可能であり、前記トラニオン（２９）と接離自在に構成されている
ことを特徴とする請求項２に記載の機構（１００）。
【請求項４】
前記頭部（６１）は、前記雌ねじ（５２）と前記主板（１）の間に拘束されている
ことを特徴とする請求項２に記載の機構（１００）。
【請求項５】
請求項１に記載の制御機構（１００）を有する
ことを特徴とするワインディング及び時間設定機構（２００）。
【請求項６】
請求項２に記載の制御機構（１００）を有する
ことを特徴とするワインディング及び時間設定機構（２００）。
【請求項７】
請求項１に記載の制御機構（１００）を少なくとも１つ又は請求項５に記載のワインディング及び時間設定機構（２００）を少なくとも１つ有する
ことを特徴とする計時器用ムーブメント（３００）。
【請求項８】
請求項２に記載の制御機構（１００）を少なくとも１つ又は請求項６に記載のワインディング及び時間設定機構（２００）を少なくとも１つ有する
ことを特徴とする計時器用ムーブメント（３００）。
【請求項９】
請求項７に記載の計時器用ムーブメント（３００）を少なくとも１つ有する
ことを特徴とする腕時計（４００）。
【請求項１０】
請求項８に記載の計時器用ムーブメント（３００）を少なくとも１つ有する
ことを特徴とする腕時計（４００）。
【発明の詳細な説明】
【技術分野】
【０００１】
本発明は、計時器用ムーブメント用の制御機構であって、当該制御機構に設けられた主板のハウジング内に、長手方向に運動可能である制御ステムを有し、前記制御ステムは、引き出し片（pull-out piece）に設けられたスタッドと連係する溝を有し、前記主板上での前記引き出し片の回転を作動させ、前記引き出し片は、ジャンパーばねによって所定位置に保持され、当該制御機構は、前記主板と連係して前記制御ステムを拘束するブリッジを有するものに関する。
【０００２】
本発明は、さらに、このような制御機構を有するワインディング及び時間設定機構に関する。
【０００３】
本発明は、さらに、少なくとも１つの制御機構、及び／又はこの種のワインディング及び時間設定機構を有する計時器用ムーブメントに関する。
【０００４】
本発明は、さらに、少なくとも１つのこのような制御機構、及び／又は少なくとも１つのこのようなワインディング及び時間設定機構及び／又は少なくとも１つのこのような計時器用ムーブメントを有する腕時計に関する。
【０００５】
本発明は、計時器用制御機構の分野、特に腕時計用のものに関する。
【背景技術】
【０００６】
腕時計が分解される場合、ムーブメントをケースから取り出す前に、ワインディングステムを取り除く必要がある。一般的には、引き片スタッド（pull-piece stud）を押すことが必要であり、これによって、ステム機構の様々なメンバーが実際のステムから解放される。
【０００７】
腕時計が再び組み立てられる場合、引き片スタッドを再び押すことによってステムが再び挿入される。しかし、引き片スタッドの移動は一般的にはブロックされ、ステム機構の部品がそれらのハウジングから出てしまうということがしばしばある。このような場合、ムーブメントをケースから取り除いて分解し、ステム機構を正しく組み立てる必要がある。
【０００８】
また、引き出し片スタッドは、一般的にはワインディングピニオンに接近しており、したがって、ステムを取り除くために用いられる工具によって歯に損傷を与えるリスクがある。このリスクを抑えるために、細長い穴や溝によって工具の入口点を形成することができる。これには、一般的にはねじ回しである工具の正確な向き合わせが必要になる。適合しない工具が使用される場合は、作られた穴は役に立たない。また、穴の形状によって、複雑さを増し、関係する板ないしブリッジの製造コストを増加させてしまう。これは、穴が円筒状であればより単純になる。
【０００９】
引き出し片にねじ込められた引き出し片スタッドを用いることによって、状況が改善する。しかし、この引き出し片スタッドは、引き出し片の移動を実際には制限しない。なぜなら、引き出し片スタッドがステムを解放するには、（通常の機構におけるように押すのではなく）ねじを緩める必要があり、過度にねじを緩めると、一般的な場合と同様なリスクを伴う。また、この手法は、高価である。これは、付加的な雌ねじ及び雄ねじ、そして非常に小さい部品にねじ込むということに起因する。これによって、この手法を小さなムーブメントに対して使用することが難しくなる。
【００１０】
また、BANNATYNE名義の米国特許US 1087525によって、プレートとブリッジの間に接続片を有するムーブメントが知られており、引き出し片のシャフトは、いくつかの部品の接続片を形成し、その中の１つは、スタンピングされた引き出し片を保持する溝を有しており、このシャフトは、ステムに対して直交するように運動可能であって、ステムの軸に垂直な平面において引き出し片に設けられたフォークからステムを少なくとも部分的に解放する。この機構によって、ステムが分解されたときにムーブメント内に各部品を保持することを可能にする。しかし、製造することが高コストであり、ムーブメントの厚みにおいて相当な空間が必要になる。
【００１１】
SUTER & CIE UHRENFABRIK HAFIS名義のスイス特許出願CH 134409Aは、引き出し片を用いるワインディング及び時間設定機構を記載しており、これによって、引き出し片の回転がスタッドによって形成され、このスタッドがその軸に沿ってムーブメントの枠内で運動可能であり、その裏面からアクセス可能であるように配置され、プッシュ片のように作動させることができ、内部に備える引き出し片とともに戻しばねを押し込むことができ、ワインディングステムの組み立てをお互いに対して確実にするように構成する。
【００１２】
MAMBRETTI MANLIO名義のスイス特許出願CH 132861Aは、時間設定引き出し片を固定するデバイスを開示しており、これは、円筒状のスタッドを有し、その一端は、引き出し片にねじ込められており、その他端は、頭を形成し、この頭部は、バレルバーからさらに数cm突き出ている。これによって、単に頭部を押すことによってワインディングステムを取り除くことができる。保持されているスタッド及び引き出し片は、ばねを形成する板によって所定位置に保持され、これは、主板に固定され、引き出し片に当接する。
【発明の概要】
【発明が解決しようとする課題】
【００１３】
本発明は、製造、組み立て及び分解が経済的であり、特に歯を破損するリスクなしで、ステムを容易に取り除くことができうるようにステム制御機構を改善することを提案するものである。
【課題を解決するための手段】
【００１４】
このために、本発明は、移動リミッターを介して、引き出し片スタッドの移動を制限するような制御機構を提案するものであり、これは、既存のシステムに対する単純な代替技術（製造と組み立て）を提供するものであり、また何らかの大きな変更を行わずに既存のステップを変換できるものである。
【００１５】
さらに、上記のために、本発明は、計時器用ムーブメントのための制御機構に関し、当該制御機構に設けられた主板のハウジング内に、長手方向に運動可能である制御ステムを有し、前記制御ステムは、引き出し片に設けられたスタッドと連係する溝を有し、前記主板上での前記引き出し片の回転を作動させ、前記引き出し片は、ジャンパーばねによって所定位置に保持され、当該制御機構は、前記主板と連係して前記制御ステムを拘束するブリッジを有し、前記制御機構は、リミッターピストンを有する移動リミッターを介して、前記引き出し片の前記スタッドの移動を制限する手段を有し、前記ブリッジには、ハウジングが設けられ、この中で前記リミッターピストンが運動を制限されており、前記リミッターピストンは、前記長手方向と実質的に直交する横断方向の力の付与の下で、前記引き出し片に設けられたトラニオンの一端に当接するように構成し、これによって、前記リミッターピストンの所与の移動の後に前記制御ステムの解放を可能にし、当該制御機構は、リミッターブリッジを有し、このリミッターブリッジは、前記ブリッジ上で固定され、もしくは当接していて、前記移動範囲内で前記リミッターピストンの頭部を動けなくして拘束する。
【００１６】
代替構成において、本発明は、さらに、計時器用ムーブメントのための制御機構に関し、当該制御機構に設けられた主板のハウジング内に、長手方向に運動可能である制御ステムを有し、前記制御ステムは、引き出し片に設けられたスタッドと連係する溝を有し、前記主板上での前記引き出し片の回転を作動させ、前記引き出し片は、ジャンパーばねによって所定位置に保持され、当該制御機構は、前記主板と連係して前記制御ステムを拘束するブリッジを有し、前記制御機構は、リミッターピストンを有する移動リミッターを介して、前記引き出し片の前記スタッドの移動を制限する手段を有し、前記ブリッジには、ハウジングが設けられ、この中で前記リミッターピストンが運動を制限されており、前記リミッターピストンは、前記長手方向と実質的に直交する横断方向の力の付与の下で、前記引き出し片に設けられたトラニオンの一端に当接するように構成し、これによって、前記リミッターピストンの所与の移動の後に前記制御ステムの解放を可能にし、前記ハウジングは、前記横断方向の高さの少なくとも一部において、前記リミッターピストンにおいて雄ねじと連係するように構成する雌ねじを有し、前記リミッターピストンは、前記ブリッジに対するその前記クリアランス移動を制限する頭部を有する。
【００１７】
本発明は、さらに、このような制御機構を有するワインディング及び時間設定機構に関する。
【００１８】
本発明は、さらに、少なくとも１つの制御機構及び／又はこの種のワインディング及び時間設定機構を有する計時器用ムーブメントに関する。
【００１９】
本発明は、さらに、少なくとも１つのこのような制御機構及び／又は少なくとも１つのこのようなワインディング及び時間設定機構及び／又は少なくとも１つのこのような計時器用ムーブメントを有する腕時計に関する。
【００２０】
添付図面を参照して下の詳細な説明を読むことによって、本発明の他の特徴及び利点が明らかになるであろう。
【図面の簡単な説明】
【００２１】
【図１】本発明に係る制御機構の第１の変種の概略断面図を示す。これは、前記制御機構によって制御される機構のピニオンの近くに、ジャンパーばねによって押される引き出し片のトラニオンを受けるハウジングが設けられた主板を有し、前記主板上には、ハウジングが設けられたブリッジが取り付けられており、このハウジング内を本発明に係る運動可能なリミッターピストンがあり、その移動がリミッターブリッジによって制限されている。
【図２】図１と同様な形態で本発明に係る第２の変種を示す図である。これには、リミッターブリッジがなく、ブリッジは、主板の近傍に拡大チャンバの上の雌ねじ山領域を有し、リミッターピストンは、その高さの一部上で、雌ねじと連係するように構成する雄ねじを有し、リミッターピストンの雄ねじ山部分が引き出し片トラニオンのすぐ近くに来ている。
【図３】図１と同様な形態で本発明に係る第３の変種を示す図である。これは、第２の変種とは逆になっており、リミッターブリッジがなく、ブリッジには、主板の近傍の拡大チャンバの上に雌ねじ山領域が設けられ、リミッターピストンは、その高さの一部上で、雌ねじと連係するように構成する雄ねじを有し、リミッターピストンの雄ねじ山部分は引き出し片トラニオンから離れており、リミッターピストンは、主板とブリッジの雌ねじの間に位置する拡大チャンバ内に拘束されたカラーを有する。
【図４】図１と同様な形態で本発明に係る第４の変種を示す図である。これにおいて、リミッターピストンは弾性部分を有し、これは、ブリッジの肩部と主板の間に配置されたチャンバ内に圧縮によって強制的に挿入され、当該弾性部分の解放の後にも前記チャンバ内に拘束される。
【図５】本発明に係る制御機構を有するワインディング及び時間設定機構を有するムーブメントを有する腕時計を示すブロック図である。
【図６】図１の第１の変種の概略斜視図である。これにおいて、一方では、引き出し片スタッドとステムの溝の間、他方では、引き出し片トラニオンとリミッターピストンの間の連係の詳細を示している。
【発明を実施するための形態】
【００２２】
本発明は、計時器用制御機構の分野に関し、特に腕時計用のものに関する。
【００２３】
ここにおいて、限定しない形態で、ワインディング及び時間設定機構２００に対するアプリケーションにおいて、本発明を説明する。
【００２４】
本発明は、計時器用ムーブメントのための制御機構１００に関する。この制御機構１００は、主板１を有し、これには制御ステム１０を受けるハウジングが設けられており、この制御ステム１０は、長手方向Ｄにおいて運動可能である。このステム１０は、通常の方法で、前記長手方向Ｄに平行移動するように、そして、同じ軸を中心に回転するように運動可能である。このステム１０は溝１１を有し、これは、引き出し片２に設けられたスタッド２０と連係して、主板１上の前記引き出し片２の回転を作動させる。引き出し片２は、従来の形態で、ステム１０の長手方向に実質的に直交する方向の横断軸Ｔを中心に回転し、図６に示すように、引き出し片２のピン３８と連係するジャンパーばね３によって所定位置に保持される。引き出し片２はトラニオン２９を有し、これは、主板１に設けられたボアに収容され、自身の回転を確実にする。機構１００は、さらに、ブリッジ５を有し、これは、例えば、バレルバーであって、主板１と連係して、ステム１０を拘束する。このブリッジ５はハウジング５４を有し、これは、ステム１０と引き出し片２が動作位置にあるときに、トラニオン２９の端を受ける。
【００２５】
本発明によれば、制御機構１００は、リミッターピストン６を有し、これは、制限された移動範囲内でハウジング５４内で運動可能である。このリミッターピストン６は、横断方向Ｔの力が与えられる下で、自身の端６５を介してトラニオン２９の一端２１に当接して、リミッターピストン６の所与の移動Ｃの後にステム１０が解放されることが可能になるように構成する。
【００２６】
このリミッターピストンは、制限された移動距離を有する。本発明の利点の１つは、ピストン移動を制限することによって、トラニオンに相当な圧力が加えられたときにジャンパーばねが破壊されるリスクをいずれもなくすことができることである。リミッターピストンの移動を様々な手法で制限することができる。
【００２７】
図１及び６に示した第１の変種実施形態において、機構１００は、リミッターブリッジ７を有し、これは、ブリッジ５に固定され、ブリッジに当接して、前記移動範囲Ｃ内にリミッターピストン６の頭部６１を動けなくして拘束する。このリミッターブリッジ７を、主板１に、又は別のブリッジに固定することができ、そして単に、ブリッジ５の上に当接させることができる。
【００２８】
好ましくは、このリミッターブリッジ７は、開口７１を有し、これは、リミッターピストン６に対して横断方向Ｔの力を与える工具の通過を可能にする。
【００２９】
リミッターピストン６は、頭部６１からセットバックした部分に、くびれた部分６４を有し、これは、リミッターピストン６の最も小さな直径を形成するこのくびれた部分６４は、図１の第１の変種の特定の例において、円筒状であり、ブリッジ５のハウジング５４内で運動可能である。
【００３０】
このようにして、リミッターピストン６は、非常に単純な幾何学的構成及び低い生産コストの挿入物を形成し、これは、ステムに設けられた中抜き穴に挿入される。ムーブメントがケースから取り除かれると、これによって圧力がリミッターピストンに与えられる。リミッターピストンの幾何学的構成のために、リミッターピストンをその当接領域を超えて動かすことはできない。したがって、その移動は、リミッターピストン６の頭部６１によって制限される。
【００３１】
別の利点は、リミッターピストン６と使用される工具の間の接点が、ワインディング機構の様々な歯から、ワインディング及び時間設定機構の場合においては特にワインディングピニオン４から、非常に離れているということである。したがって、不適切な工具が使用された場合であっても、損傷のリスクはなくなる。結果的に、このリスクを避けるために、工具の向きを合わせるためにブリッジにおいて伝統的に設けられる穴は、もはや必要ではなく、単純な機械加工で置き換えることができる。これによって、ブリッジの製造を単純化することができる。
【００３２】
場合によっては、特に小型であること又はコストの理由で、第１の変種におけるように、リミッターピストン６を上部のリミッターブリッジ７によってブロックすることは可能ではない。このような場合において、中抜き穴に内部に雌ねじの山を設けて、リミッターピストンに部分的に雄ねじの山を設けることを想起することができる。このようにして、中抜き穴において係合すると、リミッターピストンは、ねじを緩めずに穴から流れることができなくなる。この機構の動作は、第１の実施形態のものと同じである。
【００３３】
具体的には、図２に示す第２の変種実施形態では、ハウジング５４は、横断方向Ｔにおけるリミッターピストン６の高さの少なくとも一部分に設けられた雄ねじ６２と連係するように構成する雌ねじ５２を有する。前記リミッターピストン６は、ブリッジ５に対してそのクリアランス移動距離Ｃを制限する頭部６１を有する。
【００３４】
好ましくは、雄ねじ６２及び雌ねじ５２は、トラニオン２９から離れた位置におけるリミッターピストン６の初期の移動に制限される。この初期の移動の後に、リミッターピストン６は、自由に回転し、トラニオン２９と接するようになる。くびれた部分６４は、頭部６１と雄ねじ６２の間で位置し、ブリッジ５の雌ねじ５２内を自由にスライドする。
【００３５】
リミッターピストン６とねじの間のいずれの混乱やねじの緩みを防ぐために、構成を逆にして、好ましくはリミッターピストン６に設けられる溝６６が、ブリッジ側で見えないようにすることができる。このようにして、第３の変種においては、この第２の変種とは逆になっており、図３に示すように、頭部６１はカラー６９を有し、これは、雌ねじ５２と主板１の間に拘束される。ブリッジ５が組み立てられる際にリミッターピストン６が落ちることを防ぐことによって、組み立てを促進するようにねじ山領域が用いられる。くびれた部分６４は、頭部６１と雄ねじ６２の間に位置し、ブリッジ５の雌ねじ５２内を自由にスライドする。図１の第１の変種の逆の構成で、雌ねじがない別の変種を実現することができる。
【００３６】
図４に示す第４の変種において、できるだけ機械加工を単純化するために、弾性部分を有するリミッターピストンが用いられ、具体的には溝と共に使用される：リミッターピストン６は、少なくとも１つの溝６７を有し、中抜き穴に挿入される際に変形し、そして、元の幾何学的構成に戻るとハウジング内に拘束され続ける。その部品の幾何学構成に応じて、用いられる口径の種類に依存して、分解することが不可能であることもあり、そうでないこともある。したがって、リミッターピストン６は、少なくとも部分的に弾性的であり、ハウジング５４は肩部５３を有する。この肩部５３は、リミッターピストン６の少なくとも１つの弾性領域６３の圧縮を介してハウジング５４内に挿入された後で、前記肩部５３と主板１の間が自由状態に戻ると弾性領域６３を動けなくするように構成する。図示していない別の変種では、弾性部分が引き出し片トラニオンから離れた状態で、リミッターピストン６を他の方向に挿入することが出来る。
【００３７】
トラニオン２９と引き出し片スタッド２０は、好ましくは平行な方向に延在し、トラニオン２９は、従来の方法で、引き出し片スタッド２０のように、横断方向Ｔに運動可能である。ジャンパーばね３によって、リミッターピストン６による横断方向Ｔの力の付与の下で、引き出し片２０が長手方向Ｄに対して直交する方向に移動することが可能になり、ステム１０を取り除いたり挿入したりすることが可能になる。
【００３８】
当然、引き出し片２をそのピボット点以外で押すことも可能である。この手法は、付与される力を制限して、引き出し片を変形させないので好ましい。
【００３９】
本発明は、さらに、このような制御機構１００を有するワインディング及び時間設定機構２００に関する。
【００４０】
本発明は、さらに、少なくとも１つのこのような制御機構１００及び／又は少なくとも１つのこのようなワインディング及び時間設定機構２００を有する計時器用ムーブメント３００に関する。
【００４１】
本発明は、さらに、少なくとも１つのこのような制御機構１００及び／又は、少なくとも１つのこのようなワインディング及び時間設定機構２００  少なくとも１つのこのような計時器用ムーブメント３００を有する腕時計４００に関する。
【００４２】
要約すれば、本発明によって、ステムが取り除かれた際に機構を破損するリスクを最小限にすることが可能になる。リミッターピストンの移動を制限することによって、この安全機能が確実になる。
【００４３】
本発明は以下のような多くの利点を有する。
−  中抜き穴を有するブリッジの製造の単純化
−  単純な部品（回る棒や冷間作業で製造された部品）によって引き出し片トラニオンの移動の制限
−  手動ワインディング機構の歯の保護
【符号の説明】
【００４４】
１  主板
２  引き出し片
３  ジャンパーばね
５  ブリッジ
６  リミッターピストン
７  リミッターブリッジ
１０  制御ステム
１１  溝
２０  スタッド
２９  トラニオン
５２  雌ねじ
５３  肩部
５４  ハウジング
６１  頭部
６２  雄ねじ
６３  弾性領域
７１  開口
１００  制御機構
２００  ワインディング及び時間設定機構
３００  計時器用ムーブメント
４００  腕時計
【図１】
0005960853.tif 000002
【図２】
0005960853.tif 000003
【図３】
0005960853.tif 000004
【図４】
0005960853.tif 000005
【図５】
0005960853.tif 000006
【図６】
0005960853.tif 000007